(57)【要約】      （修正有）【課題】鼻呼吸に影響を与えずに長時間の使用ができ、臭い対策や花粉症対策等に使用することができる球状鼻孔マスクを提供する。【解決手段】鼻孔内に挿入される空洞の球体本体で構成された第１鼻詰め球状体２及び第２鼻詰め球状体３と、第１鼻詰め球状体と第２鼻詰め球状体を連結する連結部とを備え、球体本体１０は、球体本体の外周部に形成され、鼻孔内に挿入された状態で該鼻孔の外側に位置する外孔１４Ａと外孔と対向して該外孔の直径よりも小径の球体本体の外周部に形成され、鼻孔内に挿入された状態で該鼻孔の内側に位置する内孔１４Ｂと、吸放湿性を備えた多数の塊状に形成されたフィルター剤が球体本体の空洞内に充填されるフィルター剤充填体とフィルター剤充填体のフィルター剤が外孔及び内孔から球体本体外に漏れ出るのを防止するとともに呼気、吸気に支障のない通気性を備えた漏出防止手段とを備え、連結部は、第１鼻詰め球状体と第２鼻詰め球状体の各外孔側同士を連結する。【選択図】図３
0003221899.tif 000002
【実用新案登録請求の範囲】
【請求項１】
鼻孔内に挿入される空洞の球体本体で構成された第１鼻詰め球状体及び第２鼻詰め球状体と、
前記第１鼻詰め球状体と前記第２鼻詰め球状体を連結する連結部とを備え、
前記球体本体は、前記球体本体の外周部に形成され、前記鼻孔内に挿入された状態で該鼻孔の外側に位置する外孔と、前記外孔と対向して該外孔の直径よりも小径の前記球体本体の外周部に形成され、前記鼻孔内に挿入された状態で該鼻孔の内側に位置する内孔と、吸放湿性を備えた多数の塊状に形成されたフィルター剤が前記球体本体の空洞内に充填されるフィルター剤充填体と、前記フィルター充填体のフィルター剤が前記外孔及び前記内孔から球体本体外に漏れ出るのを防止するとともに呼気、吸気に支障のない通気性を備えた漏出防止手段とを備え、
前記連結部は、前記第１鼻詰め球状体と前記第２鼻詰め球状体の各外孔側同士を連結することを特徴とする球状鼻孔マスク。
【請求項２】
請求項１において、
前記連結部は、前記第１鼻詰め球状体と前記第２鼻詰め球状体の各外孔側同士を連結する糸と、前記糸に通された複数のビーズとを備えることを特徴とする球状鼻孔マスク。
【請求項３】
請求項１及び２のいずれか１項において、
前記漏出防止手段は、前記外孔及び前記内孔よりも球芯側に対向配置した網状の内仕切り壁であって、前記球体本体の内周面に固定されていることを特徴とする球状鼻孔マスク。
【請求項４】
請求項１乃至３のいずれか１項において、
前記球体本体は、前記外孔と前記内孔をそれぞれ頂部に形成した半球体に形成された２分割構造に形成され、前記各半球体の分割面同士を接合したことを特徴とする球状鼻孔マスク。
【請求項５】
請求項１乃至４のいずれか１項において、
前記フィルター剤は、珪藻土であることを特徴とする球状鼻孔マスク。
【考案の詳細な説明】
【技術分野】
【０００１】
本考案は、鼻呼吸用の球状鼻孔マスクに係り、特に、鼻呼吸に影響を与えずに長時間の使用ができ、臭い対策や花粉症対策等に使用することができる球状鼻孔マスクに関する。
【背景技術】
【０００２】
鼻呼吸用のマスクとして、例えば室内を低湿度に維持するために、室内で作業をする作業者の呼気中の水分を除湿する呼気除湿マスクが提案されている（特許文献１）。この呼気除湿マスクは、いわゆる防毒マスクのように使用者の顔面を密着状態に覆う面体の前部に、使用者の呼気及び吸気を通す吸放湿部を備えた吸収缶を設けた構造としている。
【先行技術文献】
【特許文献】
【０００３】
【特許文献１】特開２０１４−１６１５６８号公報
【考案の概要】
【考案が解決しようとする課題】
【０００４】
このような防毒マスク型の呼気除湿マスクは、臭い対策や花粉症対策等のために日常の生活で使用するのには不向きであるため、本考案者は不織布などで形成された一般的なマスクに吸放湿性を有するフィルター剤として粒状の珪藻土を収納することを試みたが、マスクが重くなってしまい、鼻をしっかりと覆うことができなかった。
【０００５】
そこで、本考案は、このような従来の技術の有する未解決の課題に着目してなされたものであって、鼻呼吸に影響を与えずに長時間の使用ができ、臭い対策や花粉症対策等に使用することができる球状鼻孔マスクを提供することを目的としている。
【課題を解決するための手段】
【０００６】
〔考案１〕  上記目的を達成するために、考案１の球状鼻孔マスクは、鼻孔内に挿入される空洞の球体本体で構成された第１鼻詰め球状体及び第２鼻詰め球状体と、前記第１鼻詰め球状体と前記第２鼻詰め球状体を連結する連結部とを備え、前記球体本体は、前記球体本体の外周部に形成され、前記鼻孔内に挿入された状態で該鼻孔の外側に位置する外孔と、前記外孔と対向して該外孔の直径よりも小径の前記球体本体の外周部に形成され、前記鼻孔内に挿入された状態で該鼻孔の内側に位置する内孔と、吸放湿性を備えた多数の塊状に形成されたフィルター剤が前記球体本体の空洞内に充填されるフィルター剤充填体と、前記フィルター充填体のフィルター剤が前記外孔及び前記内孔から球体本体外に漏れ出るのを防止するとともに呼気、吸気に支障のない通気性を備えた漏出防止手段とを備え、前記連結部は、前記第１鼻詰め球状体と前記第２鼻詰め球状体の各外孔側同士を連結する。
【０００７】
〔考案２〕  さらに、考案２の球状鼻孔マスクは、考案１の球状鼻孔マスクにおいて、前記連結部は、前記第１鼻詰め球状体と前記第２鼻詰め球状体の各外孔側同士を連結する糸と、前記糸に通された複数のビーズとを備える。
【０００８】
〔考案３〕  さらに、考案３の球状鼻孔マスクは、考案１及び２のいずれか１の球状鼻孔マスクにおいて、前記漏出防止手段は、前記外孔及び前記内孔よりも球芯側に対向配置した網状の内仕切り壁であって、前記球体本体の内周面に固定されている。
【０００９】
〔考案４〕  さらに、考案４の球状鼻孔マスクは、考案１乃至３のいずれか１の球状鼻孔マスクにおいて、前記球体本体は、前記外孔と前記内孔をそれぞれ頂部に形成した半球体に形成された２分割構造に形成され、前記各半球体の分割面同士を接合した。
【００１０】
〔考案５〕  さらに、考案５の球状鼻孔マスクは、考案１乃至４のいずれか１の球状鼻孔マスクにおいて、前記フィルター剤は、珪藻土である。
【考案の効果】
【００１１】
以上説明したように、考案１の球状鼻孔マスクによれば、鼻孔内に第１鼻詰め球状体と第２鼻詰め球状体を挿入し、鼻呼吸の際に呼気中及び外気中の水分の除湿、臭いや花粉の除去を高効率に行うことができ、さらには漏出防止手段により空中に浮遊するたんぽぽの綿毛等を付着させることができる。また、一般的なマスクのように鼻と口の周りを覆うものではないため、鬱陶しさがない。さらに、読唇術の妨げにはならない。
【００１２】
さらに、考案２の球状鼻孔マスクによれば、複数のビーズが全体的に下向き凸に撓むため、見た目がよく、また摘まみやすく、第１鼻詰め球体と第２鼻詰め球体を容易に引き出しできる。
【００１３】
さらに、考案３の球状鼻孔マスクによれば、漏出防止手段は球体本体内の所定位置に予め固定されているので、塊状のフィルター剤の充填量が決まっており、フィルター剤の充填作業を容易に行うことができる。
【００１４】
さらに、考案４の球状鼻孔マスクによれば、球体本体を容易に形成することができる。
さらに、考案５の球状鼻孔マスクによれば、フィルター剤に珪藻土を用いることで、高効率に吸湿を行うことができる。
【図面の簡単な説明】
【００１５】
【図１】本考案による球状鼻孔マスクの一実施形態を示す装着状態の概略図である。
【図２】図１に示す一方の鼻詰め球状体の透視図である。
【図３】図１に示す球状鼻孔マスクの正面図である。
【図４】他の実施形態の球状鼻孔マスクの正面図である。
【考案を実施するための形態】
【００１６】
以下、本考案を図面に示す実施形態に基づいて詳細に説明する。
図１に示すように、球状鼻孔マスク１は、同一構造の第１鼻詰め球状体２と第２鼻詰め球状体３を連結部４により連結した構成としている。第１鼻詰め球状体２と第２鼻詰め球状体３は使用者の鼻Ｐの左右の鼻孔Ｎの小鼻Ｎ１の部分に挿入される。連結部４は、鼻孔Ｎ内に対する第１鼻詰め球状体２と第２鼻詰め球状体３の挿入深さを制限し、また連結部４を引っ張ることで容易に取り出しできるようにする。
【００１７】
第１鼻詰め球状体２と第２鼻詰め球状体３の構造を図２及び図３に基づいて説明する。なお、第１鼻詰め球状体２と第２鼻詰め球状体３は同一構造なので、第１鼻詰め球状体２のみについて説明し、第２鼻詰め球状体３において第１鼻詰め球状体２の部材と同一の部材には同一の符号を付してその説明は省略する。
【００１８】
図２及び図３において、第１鼻詰め球状体２は、空洞の球体本体１０内に吸放湿性を備えたフィルター剤として塊状の珪藻土１１が収納されている。塊状の珪藻土は吸気及び呼気中の水分を高効率に吸湿し、吸気中に含まれる微細な花粉等の浮遊物、臭い等を吸着する。フィルター剤として珪藻土１１を用いているが、これに限定されるものではなく活性炭等を例示することができる。
【００１９】
球体本体１０は、赤道位置を分割面１２として第１半球体１３Ａと第２半球体１３Ｂの２つの半球で形成され、分割面１２で接着剤により接着されている。第１半球体１３Ａの頂部には、中心軸線Ｌの軸廻りに直径Ｄ１の外孔１４Ａを形成し、第２半球部１３Ｂの頂部には、中心軸線Ｌの軸廻りに直径Ｄ２の内孔１４Ｂを形成している。外孔１４Ａの直径Ｄ１は内孔１４Ｂの直径Ｄ２よりも大径（Ｄ１＞Ｄ２）としている。球体本体１０の外孔１４Ａと内孔１４Ｂは対向して設けられている。
【００２０】
第１半球体１３Ａの空洞１５Ａと第２半球体１３Ｂの空洞１５Ｂ内には、フィルター剤が外孔１４Ａと内孔１４Ｂから球体本体外に漏出するのを防止するとともに呼気、吸気に支障のない通気性を備えた漏出防止手段として、直径Ｄ３の網形状に形成された所定メッシュの内仕切り壁１６が対向して取り付けられている。内仕切り壁１６の直径Ｄ３は外孔１４Ａの直径Ｄ１よりも大径（Ｄ３＞Ｄ１）に形成されている。各内仕切り壁１６は、第１半球体１３Ａ及び第２半球体１３Ｂの各内周面に接着剤により、外孔１４Ａ、内孔１４Ｂよりも球芯側で接着されている。網形状に形成された内仕切り壁１６の所定メッシュは、塊状に形成された珪藻土１１の外形サイズよりも小サイズに形成され、珪藻土１１が網目から出ないようにしている。
【００２１】
第１半球体１３Ａと第２半球体１３Ｂの分割面１２をそれぞれ上に向けた状態において、塊状の珪藻土１１をそれぞれ半球状の空洞内に例えば満杯に充填する。両方の分割面１２の端面には予め接着剤を塗布しており、第１半球体１３Ａと第２半球体１３Ｂの端面同士を合わせて接着し、球体本体１０を形成する。
【００２２】
球体本体１０内には、対向する内仕切り壁１６の間に珪藻土１１が満杯に充填されるフィルター剤充填体が形成される。このフィルター剤充填体は、珪藻土１１が塊状であり個々の外形が不定形であるため、対向する内仕切り壁１６の間に多岐にわたるサイズ、形状の多数の空気の流通路が形成され、鼻呼吸に支障のない多孔体構造をなしている。
【００２３】
第１鼻詰め球状体２と第２鼻詰め球状体３は、小径（直径Ｄ２）の内孔１４Ｂを鼻孔Ｎの入り口側に向けて挿入され、大径（直径Ｄ１）の外孔１４Ａは鼻孔Ｎの入り口側で外側に向く。
【００２４】
第１半球体１３Ａの外孔１４Ａ側には、外孔１４Ａの開口近傍の周壁面に小孔１７を形成している。連結部４は、連結糸１８の両端部が第１鼻詰め球状体２の小孔１７と第２鼻詰め球状体３の小孔１７を通して結び固定する。連結糸１８には予め小径のビーズ１９が複数挿通された構成としている。複数のビーズ１９は外観のアクセントとしての機能を有するとともに、鼻孔Ｎから第１鼻詰め球体２と第２鼻詰め球体３を抜き取る際の持ち手としての機能を有する。
【００２５】
なお、連結糸１８の端部を外孔１４Ａから差し込んで第１半球体１３Ａの内周面に接着剤で接着固定してもよく、連結糸１８の端部が第１半球体１３Ａに固定できればどのような固定方法であってもよい。連結糸１８は、合成繊維製、絹糸等を用いることができ、単線であっても撚糸であってもよい。
【００２６】
上記した構成の球状鼻孔マスク１は、第１鼻詰め球体２は左右の鼻孔Ｎのいずれに挿入してもよく、例えば第１鼻詰め球体２を左側の鼻孔Ｎに挿入し、第２鼻詰め球体３を右側の鼻孔Ｎに挿入する。球状鼻孔マスク１の使用者は、鼻呼吸すると、外気が第１鼻詰め球体２と第２鼻詰め球体３の大径側の外孔１４Ａ側から各球体本体１０内に吸い込まれ、対向する一対の網状に形成された内仕切り壁１６間に充填されている多数の珪藻土１１からなるフィルター充填体内を通り、小径の内孔１４Ｂを通って肺の中に吸い込まれる。
【００２７】
鼻孔Ｎに挿入された球体本体１０は、鼻孔Ｎの入り口側に大径の外孔１４Ａが位置し、鼻孔Ｎの奥側に小径の内孔１４Ｂが位置している。したがって、球体本体１０内における吸気流は、入り口側の外孔１４Ａ側から内孔１４Ｂに向かうに従って流路の断面内径が徐々に絞られる漏斗状をなす。このような漏斗形状は小鼻の内径形状と同様であるため、第１鼻詰め球体２と第２鼻詰め球体３を鼻孔Ｎに挿入した状態で鼻呼吸しても、自然な呼吸が行える。
【００２８】
本実施形態の珪藻土入りの球状鼻孔マスク１によれば、鼻呼吸の際に臭いや花粉を珪藻土により除去することができ、特に鼻孔Ｎ内に第１鼻詰め球体２と第２鼻詰め球体３を挿入しているため、高効率に臭いや花粉を除去することができ、内仕切り壁１６の網目にも空中に浮遊するたんぽぽの綿毛等が付着する。また、一般的なマスクのように鼻と口の周りを覆うものではないため、鬱陶しさがない。
【００２９】
さらに、鼻と口の周りを覆う一般的なマスクを着用して会話する場合、会話の相手が読唇術で発話の内容を読み取る聴覚障害者では読唇術の妨げとなるが、本実施形態の球状鼻孔マスク１を使用すれば、読唇術の妨げにはならない。
【００３０】
連結部４は、第１鼻詰め球体２と第２鼻詰め球体３が所定の深さ以上に鼻孔Ｎ内へ挿入されるのを規制する規制手段として機能する一方、連結部４を引っ張るだけで第１鼻詰め球体２と第２鼻詰め球体３を鼻孔Ｎ内から容易に引き抜くことができる。複数のビーズ１９を連結糸１８に通しているので、連結糸１８が全体的に下向き凸に撓み、見た目がよく、また摘みやすく第１鼻詰め球体２と第２鼻詰め球体３を容易に引き出しできる。
【００３１】
漏出防止手段である内仕切り壁１６は球体本体１０内の所定位置に予め固定されているので、塊状のフィルター剤である珪藻土の充填量が決まっており、フィルター剤の充填作業を容易に行うことができる。
【００３２】
〔他の実施形態〕
図４は連結部の他の実施形態を示す。図４に示す連結部２０は、樽形状のつまみ２１の両端部にそれぞれ円環形状のリング部２２、２３が設けられていて、第１鼻詰め球体２と第２鼻詰め球体３の各小孔１７とリング部２２、２３を短い短連結糸２４、２５で結び、第１鼻詰め球体２と第３鼻詰め球体３を連結した構成としている。なお、短連結糸２４、２５に代えて合成樹脂製のチェーン等を用いてもよい。
【００３３】
この連結部２０を用いると、つまみ２１が樽形状であるため、しっかりと摘まんで第１鼻詰め球体２と第２鼻詰め球体３を引き出すことができる。
【００３４】
また、前記漏出手段として所定メッシュの網袋とし、前記網袋内にフィルター剤充填体として所定量の珪藻土１１を充填してもよい。フィルター剤充填体を充填した前記網袋を例えば第１半球体１３Ａの空洞１５Ａ内に装入し、その上に第２半球体１３Ｂを被せ分割面１２同士を接着する構成としてもよい。この場合、一対の内仕切り壁１６はそのまま設けても、設けなくてもよい。
【符号の説明】
【００３５】
１…球状鼻孔マスク、  ２…第１鼻詰め球状体、  ３…第２鼻詰め球状体、  ４、２０…連結部、  Ｐ…鼻、  Ｎ…鼻孔、  Ｎ１…小鼻、  １０…球体本体、  １１…珪藻土、  １２…分割面、  １３Ａ…第１半球体、  １３Ｂ…第２半球体、  Ｌ…中心軸線、  １４Ａ…外孔、  １４Ｂ…内孔、  １５Ａ、１５Ｂ…空洞、  １６…内仕切り壁、  １７…小孔、  １８…連結糸、  １９…ビーズ、  ２１…つまみ、  ２２、２３…リング部、  ２４、２５…短連結糸
【図１】
0003221899.tif 000003
【図２】
0003221899.tif 000004
【図３】
0003221899.tif 000005
【図４】
0003221899.tif 000006
【手続補正書】
【提出日】平成31年4月16日(2019.4.16)
【手続補正１】
【補正対象書類名】実用新案登録請求の範囲
【補正対象項目名】請求項１
【補正方法】変更
【補正の内容】
【請求項１】
鼻孔内に挿入される空洞の球体本体で構成された第１鼻詰め球状体及び第２鼻詰め球状体と、
前記第１鼻詰め球状体と前記第２鼻詰め球状体を連結する連結部とを備え、
前記球体本体は、前記球体本体の外周部に形成され、前記鼻孔内に挿入された状態で該鼻孔の外側に位置する外孔と、前記外孔と対向して該外孔の直径よりも小径の前記球体本体の外周部に形成され、前記鼻孔内に挿入された状態で該鼻孔の内側に位置する内孔と、吸放湿性を備えた多数の塊状に形成されたフィルター剤が前記球体本体の空洞内に充填されるフィルター剤充填体と、前記フィルター剤充填体のフィルター剤が前記外孔及び前記内孔から球体本体外に漏れ出るのを防止するとともに呼気、吸気に支障のない通気性を備えた漏出防止手段とを備え、
前記連結部は、前記第１鼻詰め球状体と前記第２鼻詰め球状体の各外孔側同士を連結することを特徴とする球状鼻孔マスク。
【手続補正２】
【補正対象書類名】明細書
【補正対象項目名】０００６
【補正方法】変更
【補正の内容】
【０００６】
〔考案１〕  上記目的を達成するために、考案１の球状鼻孔マスクは、鼻孔内に挿入される空洞の球体本体で構成された第１鼻詰め球状体及び第２鼻詰め球状体と、前記第１鼻詰め球状体と前記第２鼻詰め球状体を連結する連結部とを備え、前記球体本体は、前記球体本体の外周部に形成され、前記鼻孔内に挿入された状態で該鼻孔の外側に位置する外孔と、前記外孔と対向して該外孔の直径よりも小径の前記球体本体の外周部に形成され、前記鼻孔内に挿入された状態で該鼻孔の内側に位置する内孔と、吸放湿性を備えた多数の塊状に形成されたフィルター剤が前記球体本体の空洞内に充填されるフィルター剤充填体と、前記フィルター剤充填体のフィルター剤が前記外孔及び前記内孔から球体本体外に漏れ出るのを防止するとともに呼気、吸気に支障のない通気性を備えた漏出防止手段とを備え、前記連結部は、前記第１鼻詰め球状体と前記第２鼻詰め球状体の各外孔側同士を連結する。
【手続補正３】
【補正対象書類名】明細書
【補正対象項目名】００２６
【補正方法】変更
【補正の内容】
【００２６】
上記した構成の球状鼻孔マスク１は、第１鼻詰め球体２は左右の鼻孔Ｎのいずれに挿入してもよく、例えば第１鼻詰め球体２を左側の鼻孔Ｎに挿入し、第２鼻詰め球体３を右側の鼻孔Ｎに挿入する。球状鼻孔マスク１の使用者は、鼻呼吸すると、外気が第１鼻詰め球体２と第２鼻詰め球体３の大径側の外孔１４Ａ側から各球体本体１０内に吸い込まれ、対向する一対の網状に形成された内仕切り壁１６間に充填されている多数の珪藻土１１からなるフィルター剤充填体内を通り、小径の内孔１４Ｂを通って肺の中に吸い込まれる。